Podtech/llm-jp-corpus-v4-ja_patent huggingface dataset:
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
水溶性アゾ系化合物存在下、水溶性エチレン性不飽和単量体を重合し、吸水性樹脂前駆体を含む反応系を得る重合工程と、石油系炭化水素分散媒中において前記反応系から水を除去する脱水工程とを含み、前記脱水工程では、下記の式（１）により算出される残水率が５〜７５％において前記反応系へ、２，２’-アゾビス(４-メトキシ-２，４-ジメチルバレロニトリル)、２，２’-アゾビス-イソブチロニトリル、１，１’-アゾビス(シクロヘキサン-１-カルボニトリル)、２，２’-アゾビス(２，４-ジメチルバレロニトリル)、２，２’-アゾビス(イソ酪酸メチル)および２，２’-アゾビス(２-メチルブチロニトリル)からなる群から選ばれた少なくとも１つである油溶性ラジカル発生剤を添加することを特徴とする、吸水性樹脂の製造方法。
【数１】
2017155194.tif 000001
【請求項２】
前記油溶性ラジカル発生剤の添加量が、前記重合工程で用いる前記水溶性エチレン性不飽和単量体の１モルに対して０．０００１〜０．００２０モルである、請求項１に記載の吸水性樹脂の製造方法。
【請求項３】
前記水溶性アゾ系化合物が２，２’−アゾビス（２−アミジノプロパン）二塩酸塩、２，２’−アゾビス［２−［１−（２−ヒドロキシエチル）−２−イミダゾリン−２−イル］プロパン］二塩酸塩および２，２’−アゾビス［Ｎ−（２−カルボキシエチル）−２−メチルプロピオンアミジン］四水和物からなる群から選ばれた少なくとも１つである、請求項１または２に記載の吸水性樹脂の製造方法。
【請求項４】
前記重合工程において前記水溶性エチレン性不飽和単量体を逆相懸濁重合法により重合する、請求項１から３のいずれか１項に記載の吸水性樹脂の製造方法。
【請求項５】
前記重合工程において、前記逆相懸濁重合法を２段以上の多段で行うことを特徴とする、請求項４に記載の吸水性樹脂の製造方法。
【請求項６】
前記重合工程後、架橋剤を添加して後架橋反応を行う、請求項１から５のいずれか１項に記載の吸水性樹脂の製造方法。
【請求項７】
水溶性エチレン性不飽和単量体の重合物架橋体を含む吸水性樹脂であって、以下（A）〜（D）をすべて満たす吸水性樹脂。
（A）生理食塩水保水能が３８〜６５ｇ／ｇ
（B）４．１４ｋＰａ荷重下での生理食塩水吸水能が１８ｍｌ／ｇ以上
（C）残存モノマーの含有量が１５０ｐｐｍ以下
（D）使用初期の残存モノマーの外部移行量が３０ｐｐｍ以下
【請求項８】
中位粒子径が１００〜６００μｍである、請求項７に記載の吸水性樹脂。
【請求項９】
液体透過性シートと、液体不透過性シートと、これらのシートの間に保持された吸収体とを備え、前記吸収体が請求項７または８に記載の吸水性樹脂を含む、衛生材料。
【手続補正２】
【補正対象書類名】明細書
【補正対象項目名】００１１
【補正方法】変更
【補正の内容】
【００１１】
[項１] 水溶性アゾ系化合物存在下、水溶性エチレン性不飽和単量体を重合し、吸水性樹脂前駆体を含む反応系を得る重合工程と、石油系炭化水素分散媒中において前記反応系から水を除去する脱水工程とを含み、前記脱水工程では、下記の式（１）により算出される残水率が５〜７５％において前記反応系へ、２，２’-アゾビス(４-メトキシ-２，４-ジメチルバレロニトリル)、２，２’-アゾビス-イソブチロニトリル、１，１’-アゾビス(シクロヘキサン-１-カルボニトリル)、２，２’-アゾビス(２，４-ジメチルバレロニトリル)、２，２’-アゾビス(イソ酪酸メチル)および２，２’-アゾビス(２-メチルブチロニトリル)からなる群から選ばれた少なくとも１つである油溶性ラジカル発生剤を添加することを特徴とする、吸水性樹脂の製造方法。
【数１】
2017155194.tif 000002
【手続補正３】
【補正対象書類名】明細書
【補正対象項目名】００１２
【補正方法】変更
【補正の内容】
【００１２】
[項２] 前記油溶性ラジカル発生剤の添加量が、前記重合工程で用いる前記水溶性エチレン性不飽和単量体の１モルに対して０．０００１〜０．００２０モルである、項１に記載の吸水性樹脂の製造方法。
【手続補正４】
【補正対象書類名】明細書
【補正対象項目名】００１３
【補正方法】変更
【補正の内容】
【００１３】
[項３] 前記水溶性アゾ系化合物が２，２’−アゾビス（２−アミジノプロパン）二塩酸塩、２，２’−アゾビス［２−［１−（２−ヒドロキシエチル）−２−イミダゾリン−２−イル］プロパン］二塩酸塩および２，２’−アゾビス［Ｎ−（２−カルボキシエチル）−２−メチルプロピオンアミジン］四水和物からなる群から選ばれた少なくとも１つである、項１または２に記載の吸水性樹脂の製造方法。
【手続補正５】
【補正対象書類名】明細書
【補正対象項目名】００１４
【補正方法】変更
【補正の内容】
【００１４】
[項４] 前記重合工程において前記水溶性エチレン性不飽和単量体を逆相懸濁重合法により重合する、項１から３のいずれか１項に記載の吸水性樹脂の製造方法。
【手続補正６】
【補正対象書類名】明細書
【補正対象項目名】００１５
【補正方法】変更
【補正の内容】
【００１５】
[項５] 前記重合工程において、前記逆相懸濁重合法を２段以上の多段で行うことを特徴とする、項４に記載の吸水性樹脂の製造方法。
【手続補正７】
【補正対象書類名】明細書
【補正対象項目名】００１６
【補正方法】変更
【補正の内容】
【００１６】
[項６] 前記重合工程後、架橋剤を添加して後架橋反応を行う、項１から５のいずれか１項に記載の吸水性樹脂の製造方法。
【手続補正８】
【補正対象書類名】明細書
【補正対象項目名】００１７
【補正方法】変更
【補正の内容】
【００１７】
[項７] 水溶性エチレン性不飽和単量体の重合物架橋体を含む吸水性樹脂であって、以下（A）〜（D）をすべて満たす吸水性樹脂。
（A）生理食塩水保水能が３８〜６５ｇ／ｇ
（B）４．１４ｋＰａ荷重下での生理食塩水吸水能が１８ｍｌ／ｇ以上
（C）残存モノマーの含有量が１５０ｐｐｍ以下
（D）使用初期の残存モノマーの外部移行量が３０ｐｐｍ以下
【手続補正９】
【補正対象書類名】明細書
【補正対象項目名】００１９
【補正方法】変更
【補正の内容】
【００１９】
[項９] 液体透過性シートと、液体不透過性シートと、これらのシートの間に保持された吸収体とを備え、前記吸収体が項７または８に記載の吸水性樹脂を含む、衛生材料。
【手続補正１０】
【補正対象書類名】明細書
【補正対象項目名】００７５
【補正方法】変更
【補正の内容】
【００７５】
実施例５
実施例１において、油溶性ラジカル発生剤を１，１’-アゾビス(シクロヘキサン-１-カルボニトリル)０．８５５ｇ（０．００３５モル）に変更した以外は、実施例１と同様の操作を行い、球状粒子の凝集体として、吸水性樹脂２２８．２ｇを得た。
【手続補正書】
【提出日】平成31年2月7日(2019.2.7)
【手続補正１】
【補正対象書類名】明細書
【補正対象項目名】００５６
【補正方法】変更
【補正の内容】
【００５６】
ベンゾフェノン、ヒドロキシベンゾフェノン、２−クロロベンゾフェノン、４，４′−ジクロロベンゾフェノン、４，４′−ビスジエチルアミノベンゾフェノン、４，４′−ビスジメチルアミノベンゾフェノン（ミヒラーケトン）、４−メトキシ−４′−ジメチルアミノベンゾフェノン、特開２００８−２８０４２７号公報の一般式（１）で表されるベンゾフェノン化合物等のベンゾフェノン類またはその塩。
【手続補正２】
【補正対象書類名】明細書
【補正対象項目名】００５７
【補正方法】変更
【補正の内容】
【００５７】
チオキサントン、２−クロロチオキサントン、２−メチルチオキサントン、２−イソプロピルチオキサントン、２，４−ジエチルチオキサントン、４−イソプロピルチオキサントン、イソプロポキシクロロチオキサントン、特開２００８−２８０４２７号公報の一般式（２）で表されるチオキサントン化合物等のチオキサントン類またはその塩。
エチルアントラキノン、ベンズアントラキノン、アミノアントラキノン、クロロアントラキノン等のアントラキノン類。
【手続補正３】
【補正対象書類名】明細書
【補正対象項目名】００８６
【補正方法】変更
【補正の内容】
【００８６】
顔料分散液を使用する場合、着色剤としての顔料の割合は、顔料分散液中に含まれる有効成分としての顔料自体の割合である。また２種以上の顔料を併用する場合は、その総量を上記の範囲に設定すればよい。
〈界面活性剤〉
界面活性剤は、インクジェットインクの表面張力を調整し、それによって当該インクジェットインクの、インクジェットプリンタのノズルに対する濡れ性を調整し、吐出性を改善して絵柄や文字等の鮮明性を向上したり、前述したパドリングの発生を抑制したりするために機能する。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
軸心線周りに所定方向に回転する回転構造体と、前記回転構造体の外周側に隙間を空けて径方向に対向する静止構造体との間の前記隙間から、作動流体のリーク流の流れを抑制する、シール構造であって、
前記静止構造体には、前記回転構造体を収容するキャビティが備えられると共に、
前記キャビティの内周面には、前記内周面から内周側に向かって延在するシールフィンが設けられると共に、前記内周面から外周側に向かって前記リーク流の流れ方向に沿って複数の静止側凹所が設けられ、
前記流れ方向で最上流側の第１静止側凹所よりも、前記流れ方向で前記第１静止側凹所の直下流側に配置された第２静止側凹所のほうが、深さ寸法を小さく設定された
ことを特徴とするシール構造。
【請求項２】
前記静止構造体はタービンケーシングであり、
前記回転構造体は、軸方向に沿って複数設置され、動翼の先端に取り付けられたチップシュラウドであって、
前記シールフィンは、前記チップシュラウドに対して前記径方向に対向して配置された
ことを特徴とする、請求項１に記載のシール構造。
【請求項３】
前記静止側凹所が前記流れ方向に沿って３つ以上備えられ、前記深さ寸法が、前記流れ方向で下流側になるほど小さく設定された
ことを特徴とする、請求項１又は２に記載のシール構造。
【請求項４】
前記シールフィンが前記流れ方向に沿って複数設けられ、
前記流れ方向で最上流側の第１シールフィンと、前記流れ方向で前記第１シールフィンの直下流側に配置された第２シールフィンとの相互間に、前記第１静止側凹所が設けられた
ことを特徴とする請求項１〜３の何れか一項に記載のシール構造。
【請求項５】
前記第１静止側凹所の前記深さ寸法は、前記第１シールフィンと前記第２シールフィンとの間のピッチの２倍よりも大きく設定された
ことを特徴とする請求項４に記載のシール構造。
【請求項６】
前記シールフィンの相互間のピッチは互いに同一に設定された
ことを特徴とする請求項１〜５の何れか一項に記載のシール構造。
【請求項７】
前記シールフィンの少なくとも１つは、隣接する前記静止側凹所から軸方向に所定の距離をあけて設けられた
ことを特徴とする請求項１〜６の何れか一項に記載のシール構造。
【請求項８】
前記第１静止側凹所と前記第２静止側凹所との少なくとも一方が、前記径方向に延設された
ことを特徴とする請求項１〜７の何れか一項に記載のシール構造。
【請求項９】
前記静止側凹所の少なくとも一つに、軸方向に延設された軸方向凹所が連設された
ことを特徴とする請求項８に記載のシール構造。
【請求項１０】
前記静止側凹所は、前記シールフィンの相互間に設けられ、
前記軸方向に関する寸法であって前記静止側凹所と前記軸方向凹所とのトータルの寸法が、前記シールフィンの相互間のピッチよりも大きく設定された
ことを特徴とする請求項９に記載のシール構造。
【請求項１１】
前記静止側凹所に対向して前記回転構造体に回転側凹所が設けられ、
前記回転側凹所として、少なくとも、前記第１静止側凹所に対向して設けられた第１回転側凹所、又は、前記第２静止側凹所に対向して設けられた第２回転側凹所が設けられたことを特徴とする請求項１〜１０の何れか一項に記載のシール構造。
【請求項１２】
前記回転構造体に前記第１回転側凹所及び前記第２回転側凹所が設けられ、
前記第１静止側凹所の底面と前記第１回転側凹所の底面との距離よりも、前記第２静止側凹所の底面と前記第２回転側凹所の底面との距離のほうが短く設定された
ことを特徴とする請求項１１に記載のシール構造。
【請求項１３】
軸心線周りに所定方向に回転する回転構造体と、
前記回転構造体の外周側に隙間を空けて径方向に対向する静止構造体と、
請求項１〜１２の何れか一項に記載のシール構造と、を備えた
ことを特徴とする、ターボ機械。
【請求項１４】
前記回転構造体として、軸方向に複数設けられたチップシュラウドを備えると共に、前記静止構造体として、前記複数のチップシュラウドを囲うタービンケーシングを備え、
前記複数のチップシュラウドの内の、少なくとも一つのチップシュラウドに対し、前記シール構造を備えたタービンであることを特徴とする、請求項１３に記載のターボ機械。
【請求項１５】
前記少なくとも一つのチップシュラウドが、前記作動流体の入口の最も近くに配置されたチップシュラウドである
ことを特徴とする、請求項１４に記載のターボ機械。
【請求項１６】
前記少なくとも一つのチップシュラウドが、軸方向中央に配置されたチップシュラウドである
ことを特徴とする、請求項１４又は１５に記載のターボ機械。
【手続補正２】
【補正対象書類名】明細書
【補正対象項目名】０００８
【補正方法】変更
【補正の内容】
【０００８】
（１）上記の目的を達成するために、本発明のシール構造は、軸心線周りに所定方向に回転する回転構造体と、前記回転構造体の外周側に隙間を空けて径方向に対向する静止構造体との間の前記隙間から、作動流体のリーク流の流れを抑制する、シール構造であって、前記静止構造体には、前記回転構造体を収容するキャビティが備えられると共に、前記キャビティの内周面には、前記内周面から内周側に向かって延在するシールフィンが設けられると共に、前記内周面から外周側に向かって前記リーク流の流れ方向に沿って複数の静止側凹所が設けられ、前記流れ方向で最上流側の第１静止側凹所よりも、前記流れ方向で前記第１静止側凹所の直下流側に配置された第２静止側凹所のほうが、深さ寸法を小さく設定されたことを特徴としている。
【手続補正３】
【補正対象書類名】明細書
【補正対象項目名】００２０
【補正方法】変更
【補正の内容】
【００２０】
（１３）上記の目的を達成するために、本発明のターボ機械は、軸心線周りに所定方向に回転する回転構造体と、前記回転構造体の外周側に隙間を空けて径方向に対向する静止構造体と、（１）〜（１２）の何れかに記載のシール構造と、を備えたことを特徴とすることを特徴としている。
【手続補正４】
【補正対象書類名】明細書
【補正対象項目名】００２１
【補正方法】変更
【補正の内容】
【００２１】
（１４）前記回転構造体として、軸方向に複数設けられたチップシュラウドを備えると共に、前記静止構造体として、前記複数のチップシュラウドを囲うタービンケーシングを備え、前記複数のチップシュラウドの内の、少なくとも一つのチップシュラウドに対し、前記シール構造を備えたタービンであることが好ましい。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに収容されたスクロール型の圧縮機構と、
前記圧縮機構で圧縮された冷媒が通過する吐出口が設けられたディスチャージカバー又は前記圧縮機構の固定スクロールと、
前記ハウジングと前記ディスチャージカバー又は前記固定スクロールとの間に形成された吐出チャンバーと、
前記吐出チャンバー内を通過して設けられ、内部を冷媒が流通する配管部と、
前記ディスチャージカバー又は前記固定スクロールの前記吐出口に設けられ、前記吐出口から前記吐出チャンバーへ吐出される冷媒が、前記配管部から離れる方向に吹き出される構成を有しているリード弁と、
を備え、
前記リード弁は、前記吐出口から吐出される冷媒を所定の吹き出し方向に吹き出させる板状部材を有し、
前記配管部は、前記吹き出し方向の後方側に設けられ、
前記リード弁の前記板状部材は、一方向に長く、一端側が前記ディスチャージカバー又は前記固定スクロールに固定され、他端側が前記吐出口に対して開閉可能であり、
前記板状部材の前記一端と前記他端を結ぶ線と、前記吐出口と前記配管部とを結ぶ線とのなす角は、９０°以下である圧縮機。
【請求項２】
ハウジングと、
前記ハウジングに収容されたスクロール型の圧縮機構と、
前記圧縮機構で圧縮された冷媒が通過する吐出口が設けられたディスチャージカバー又は前記圧縮機構の固定スクロールと、
前記ハウジングと前記ディスチャージカバー又は前記固定スクロールとの間に形成された吐出チャンバーと、
前記吐出チャンバー内を通過して設けられ、内部を冷媒が流通する配管部と、
前記ディスチャージカバー又は前記固定スクロールの前記吐出口に設けられ、前記吐出口から前記吐出チャンバーへ吐出される冷媒が、前記配管部から離れる方向に吹き出される構成を有しているリード弁と、
を備え、
前記リード弁は、前記吐出口から吐出される冷媒を所定の吹き出し方向に吹き出させる板状部材を有し、
前記配管部は、前記吹き出し方向の後方側に設けられ、
前記リード弁の前記板状部材は、一方向に長く、一端側が前記ディスチャージカバー又は前記固定スクロールに固定され、他端側が前記吐出口に対して開閉可能であり、
前記吐出口が２箇所設けられ、各前記吐出口に一つずつ前記リード弁が設けられるとき、
二つの前記リード弁の前記板状部材は、前記配管部を挟むように設置される圧縮機。
【請求項３】
二つの前記吐出口を結ぶ線分の垂直二等分線上に、前記配管部が設置される請求項２に記載の圧縮機。
【請求項４】
一方の前記板状部材の前記一端と前記他端を結ぶ線と、他方の前記板状部材の前記一端と前記他端を結ぶ線とのなす角が、９０°以下である請求項２又は３に記載の圧縮機。
【請求項５】
前記ハウジングを貫通して設置され、前記吐出チャンバー内の冷媒を外部へ吐出する吐出管を更に備え、
前記吐出口から前記吐出チャンバーへ吐出される冷媒が、前記リード弁によって前記吐出管へ近づく方向に吹き出されるように、前記吐出管が設置されている請求項１から４のいずれか１項に記載の圧縮機。
【請求項６】
前記ハウジングを貫通して設置され、前記吐出チャンバー内の冷媒を外部へ吐出する吐出管を更に備え、
前記吐出口から前記吐出チャンバーへ吐出される冷媒が、前記リード弁によって前記吐出管へ近づく方向に吹き出されるように、前記吐出管が設置され、かつ、前記吐出管は、二つの前記吐出口を結ぶ線を間に挟んで、前記配管部とは反対側に設置される請求項２から４のいずれか１項に記載の圧縮機。
【手続補正２】
【補正対象書類名】明細書
【補正対象項目名】００１２
【補正方法】変更
【補正の内容】
【００１２】
上記発明において、前記リード弁の前記板状部材は、一方向に長く、一端側が前記ディスチャージカバー又は前記固定スクロールに固定され、他端側が前記吐出口に対して開閉可能であり、前記板状部材の前記一端と前記他端を結ぶ線と、前記吐出口と前記配管部とを結ぶ線とのなす角は、９０°以下でもよい。
【手続補正３】
【補正対象書類名】明細書
【補正対象項目名】００３４
【補正方法】変更
【補正の内容】
【００３４】
ディスチャージカバー３に吐出ポート２９が一つのみ形成される場合、図３に示すように、板状部材であるリード弁４０の一端と他端を結ぶ線と、吐出ポート２９とインジェクション管５０とを結ぶ線とのなす角は、９０°未満であること、好ましくは、６０°以下であることが望ましい。これにより、インジェクション管５０が、吐出ポート２９からの冷媒の吹き出し方向の後方側に設けられる位置となり、冷媒がインジェクション管５０から離れる方向に確実に吹き出される。なお、図３では、リテーナ４１の図示を省略している。
【手続補正４】
【補正対象書類名】明細書
【補正対象項目名】００３６
【補正方法】変更
【補正の内容】
【００３６】
すなわち、図８及び図９に示すように、ディスチャージカバー３に吐出ポート２９が一つのみ形成される場合と異なり、リード弁４０の一端と他端を結ぶ線と、吐出ポート２９とインジェクション管５０とを結ぶ線とのなす角を９０°以下にすることは難しい。リード弁４０の一端と他端を結ぶ線と、吐出ポート２９とインジェクション管５０とを結ぶ線とのなす角を９０°にできたとしても、吐出ポート２９から吹き出された冷媒がインジェクション管５０に当たる可能性がある。図８は、二つのリード弁を吐出ポート２９に対して同じ側で固定した場合を示しており、図９は、二つのリード弁を吐出ポート２９に対して異なる側で固定した場合を示している。
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
板厚方向の一方側に主流が流通し、該板厚方向に貫通する複数の孔部を有する多孔板と、
該多孔板の板厚方向他方側に設けられて、該多孔板との間に空間を区画するハウジングとを備え、
前記孔部は、前記主流の流通方向における上流側から下流側に向かって傾斜している音響装置。
【請求項２】
前記多孔板は、前記板厚方向の一方側を臨む内側板と、該内側板の前記板厚方向他方側に重なった状態で設けられた外側板と、を有し、
前記孔部は、前記内側板を前記板厚方向に貫通するとともに、前記主流の流通方向における上流側から下流側に向かって傾斜している内側孔部と、
該内側孔部に連通し、前記外側板を前記板厚方向に貫通するとともに前記板厚方向に延びている外側孔部と、を有する請求項１に記載の音響装置。
【請求項３】
前記内側孔部の開孔寸法は、前記外側孔部の開孔寸法よりも大きく設定されている請求項２に記載の音響装置。
【請求項４】
前記内側孔部の開孔寸法は、前記外側孔部の開孔寸法よりも小さく設定されている請求項２に記載の音響装置。
【請求項５】
前記多孔板の前記主流に接する面における各前記孔部の上流側に、凹凸形状が形成されている請求項１から４のいずれか一項に記載の音響装置。
【請求項６】
板厚方向の一方側に主流が流通し、該板厚方向に貫通する複数の孔部を有する多孔板と、
該多孔板の板厚方向他方側に設けられて、該多孔板との間に空間を区画するハウジングとを備え、
前記多孔板の前記主流に接する面における各前記孔部の上流側に、凹凸形状が形成されている音響装置。
【請求項７】
高圧空気を生成する圧縮機と、
前記高圧空気に燃料を混合して燃焼させることで燃焼ガスを生成する燃焼器と、
前記燃焼器に取り付けられた請求項１から６のいずれか一項に記載の音響装置と、
前記燃焼ガスによって駆動されるタービンと、
を備えるガスタービン。
【手続補正２】
【補正対象書類名】明細書
【補正対象項目名】０００６
【補正方法】変更
【補正の内容】
【０００６】
本発明の第一の態様によれば、音響装置は、板厚方向の一方側に主流が流通し、該板厚方向に貫通する複数の孔部を有する多孔板と、該多孔板の板厚方向他方側に設けられて、該多孔板との間に空間を区画するハウジングとを備え、 前記孔部は、前記主流の流通方向における上流側から下流側に向かって傾斜している。
【手続補正３】
【補正対象書類名】明細書
【補正対象項目名】０００８
【補正方法】変更
【補正の内容】
【０００８】
本発明の第二の態様によれば、上記の音響装置では、前記多孔板は、前記板厚方向の一方側を臨む内側板と、該内側板の前記板厚方向他方側に重なった状態で設けられた外側板と、を有し、前記孔部は、前記内側板を前記板厚方向に貫通するとともに、前記主流の流通方向における上流側から下流側に向かって傾斜している内側孔部と、該内側孔部に連通し、前記外側板を前記板厚方向に貫通するとともに前記板厚方向に延びている外側孔部と、を有してもよい。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
キャリアリングと、
前記キャリアリングの下半領域の内周側に設けられ、ロータ軸を下方から支持するように構成された複数の軸受パッドと、
前記キャリアリングの上半領域に配置され、前記ロータ軸の外周面のうち上側領域を覆うように、前記ロータ軸の軸方向における中央に設けられたガイドメタルと、
前記軸方向における前記複数の軸受パッドの両側に設けられた一対のサイドプレートと、
を備え、
各々の前記サイドプレートの内周面と前記ロータ軸の外周面との間に前記一対のサイドプレートによって囲まれた軸受内部空間と外部とを連通させるための第１隙間が設けられ、
前記第１隙間は、前記ガイドメタルの内周面と前記ロータ軸の外周面との間の第２隙間よりも大きい
ことを特徴とするジャーナル軸受。
【請求項２】
前記ガイドメタルの下流側に設けられ、前記ガイドメタルよりも前記軸方向に沿った幅が大きいダムをさらに備えることを特徴とする請求項１に記載のジャーナル軸受。
【請求項３】
前記ガイドメタル及び前記ダムは一体に形成されていることを特徴とする請求項２に記載のジャーナル軸受。
【請求項４】
キャリアリングと、
前記キャリアリングの下半領域の内周側に設けられ、ロータ軸を下方から支持するように構成された複数の軸受パッドと、
前記キャリアリングの上半領域に配置され、前記ロータ軸の外周面のうち上側領域を覆うように、前記ロータ軸の軸方向における中央に設けられたガイドメタルと、
前記ガイドメタルの下流側に設けられ、前記ガイドメタルよりも前記軸方向に沿った幅が大きいダムと、を備え、
前記ガイドメタル及び前記ダムは一体に形成されている
ことを特徴とするジャーナル軸受。
【請求項５】
前記ダムの下流側端の前記軸方向に沿った幅ＷＧ_ＴＥは、前記複数の軸受パッドのうち最上流側の第１軸受パッドの前記軸方向における幅をＷＰ１としたとき、ＷＧ_ＴＥ≧０．８×ＷＰ１を満たすことを特徴とする請求項２乃至４の何れか一項に記載のジャーナル軸受。
【請求項６】
前記ダムは、前記軸方向における前記ダムの両端を形成するとともに、上流側からのキャリーオーバ油を前記軸方向の外側に向けて導くように構成された一対の整流部を有することを特徴とする請求項２乃至５の何れか一項に記載のジャーナル軸受。
【請求項７】
各々の前記整流部の前縁は、下流側に向かうにつれて前記軸方向の外側に向かうように前記ロータ軸の回転方向に対して傾斜していることを特徴とする請求項６に記載のジャーナル軸受。
【請求項８】
前記ガイドメタルには、該ガイドメタルの前記ロータ軸に対向する表面に開口するとともに、前記ガイドメタルの前記表面に潤滑油を供給するように構成された少なくとも一つの給油口が形成されていることを特徴とする請求項１乃至７の何れか一項に記載のジャーナル軸受。
【請求項９】
キャリアリングと、
前記キャリアリングの下半領域の内周側に設けられ、ロータ軸を下方から支持するように構成された複数の軸受パッドと、
前記キャリアリングの上半領域に配置され、前記ロータ軸の外周面のうち上側領域を覆うように、前記ロータ軸の軸方向における中央に設けられたガイドメタルと、
前記ガイドメタルには、該ガイドメタルの前記ロータ軸に対向する表面に開口するとともに、前記ガイドメタルの前記表面に潤滑油を供給するように構成された少なくとも一つの給油口が形成され、
前記少なくとも一つの給油口は、前記ガイドメタルの最上部又は該最上部よりも下流側に位置する
ことを特徴とするジャーナル軸受。
【請求項１０】
請求項１乃至９の何れか一項に記載のジャーナル軸受と、
前記ジャーナル軸受によって支持されるロータ軸と、
を備えることを特徴とする回転機械。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
キャリアリングと、
前記キャリアリングの下半領域の内周側に設けられ、ロータ軸を下方から支持するように構成された複数の軸受パッドと、
前記ロータ軸の軸方向における前記複数の軸受パッドの両側に設けられる一対のサイドプレートと、を備え、
各々の前記サイドプレートは、
前記複数の軸受パッドのうち最上流側に位置する第１軸受パッドの上流側の周方向範囲を含む第１領域と、
前記第１領域の上流側に位置し、前記サイドプレートの内周面と前記ロータ軸の外周面との間の間隔が前記第１領域よりも大きい第２領域と、
を含み、
各々の前記サイドプレートは、
前記第１領域を形成する下半部と、
前記下半部よりも内径が大きく、前記第２領域を形成する上半部と、
を含む
ことを特徴とするジャーナル軸受。
【請求項２】
前記第２領域の周方向範囲内において前記キャリアリングの内周側に、前記キャリアリングから径方向内方に向かって突出して設けられ、キャリーオーバ油の下流側への流れを抑制するように構成された少なくとも一つのキャリーオーバ抑制部をさらに備えることを特徴とする請求項１に記載のジャーナル軸受。
【請求項３】
前記第１領域の周方向範囲内において前記第１軸受パッドの上流側に設けられ、前記第１軸受パッドに潤滑油を供給するための少なくとも一本の第１給油ユニットをさらに備えることを特徴とする請求項１又は２に記載のジャーナル軸受。
【請求項４】
前記第２領域の周方向範囲内において、前記複数の軸受パッドのうち最下流側に位置する第２軸受パッドの下流側に設けられ、前記第２軸受パッドの後縁側に潤滑油を供給するための第２給油ユニットをさらに備えることを特徴とする請求項１乃至３の何れか一項に記載のジャーナル軸受。
【請求項５】
前記第１領域の下流側端は、前記第１軸受パッドの後縁よりも下流側に位置することを特徴とする請求項１乃至４の何れか一項に記載のジャーナル軸受。
【請求項６】
前記第１領域の下流側端および前記第２領域の上流側端の角度位置θは、前記複数の軸受パッドのうち最下流側に位置する第２軸受パッドの張り角をαとし、前記第２軸受パッドの後縁の角度位置をθＴＥとしたとき、θＴＥ−０．２５α≦θ≦θＴＥ＋０．２５αを満たすことを特徴とする請求項１乃至５の何れか一項に記載のジャーナル軸受。
【請求項７】
各々の前記サイドプレートの前記下半部の内周面と前記ロータ軸の外周面との間に一定の第１隙間が形成され、
各々の前記サイドプレートの前記上半部の内周面と前記ロータ軸の外周面との間に前記第１隙間よりも大きくて一定の第２隙間が形成されることを特徴とする請求項１乃至６の何れか一項に記載のジャーナル軸受。
【請求項８】
各々の前記サイドプレートは、前記下半部と前記上半部との接合面が水平面に対して傾斜していることを特徴とする請求項１乃至７の何れか一項に記載のジャーナル軸受。
【請求項９】
前記接合面の前記水平面に対する傾斜角は、５度以上４５度以下であることを特徴とする請求項８に記載のジャーナル軸受。
【請求項１０】
前記第１領域における前記間隔をＧ１とし、前記第２領域における前記間隔をＧ２とし、前記サイドプレートの前記上半部の内径をＤとしたとき、Ｇ１≦０．０１Ｄ、且つ、Ｇ２≧０．０２Ｄを満たすことを特徴とする請求項１乃至９の何れか一項に記載のジャーナル軸受。
【請求項１１】
各々の前記サイドプレートは、隣接する一対の前記軸受パッド間の周方向位置において、潤滑油を排出するための少なくとも一つの開口を有することを特徴とする請求項１乃至１０の何れか一項に記載のジャーナル軸受。
【請求項１２】
請求項１乃至１１の何れか一項に記載のジャーナル軸受と、
前記ジャーナル軸受によって支持されるロータ軸と、
を備えることを特徴とする回転機械。
【手続補正２】
【補正対象書類名】明細書
【補正対象項目名】００５６
【補正方法】変更
【補正の内容】
【００５６】
図４に示すように、第１領域の下流側端は、第１軸受パッド３０の後縁３０ｂよりも下流側に位置していてもよい。なお、第１軸受パッド３０において、前縁３０ａは上流側に位置する縁部であり、後縁３０ｂは下流側に位置する縁部である。
この構成によれば、第１軸受パッド３０の上流側及び該第１軸受パッド３０の周方向範囲内ではサイドプレート１７，１８とロータ軸２との間の間隔が比較的狭いので、油溜まりおよび第１軸受パッド３０に保持される潤滑油量を十分に確保することができる。よって、第１軸受パッド３０における油膜圧力を高く維持することができる。
【手続補正３】
【補正対象書類名】明細書
【補正対象項目名】００７３
【補正方法】変更
【補正の内容】
【００７３】
１      回転機械
２      ロータ軸
１０    ジャーナル軸受
１２    上半部キャリアリング
１３    下半部キャリアリング
１７，１８    サイドプレート
１７Ａ，１８Ａ    上半部サイドプレート
１７Ｂ，１８Ｂ    下半部サイドプレート
２０，２１    ガイドメタル
２５，２６    第１給油ユニット
２７，２８    給油ユニット
２９    第２給油ユニット
３０    第１軸受パッド
３２    第２軸受パッド
３４，３６    キャリーオーバ抑制部
４０    第１隙間
４２    第２隙間
５０    接合面
５２    開口
【手続補正書】
【提出日】平成31年2月21日(2019.2.21)
【手続補正１】
【補正対象書類名】明細書
【補正対象項目名】００１５
【補正方法】変更
【補正の内容】
【００１５】
前記締着板は、土台と当該土台に立設された柱の下部に渡っての長さを有する平面であり、前記受け部材が前記締着板の平面に対して直角に立設されている。更に、前記締着板と受け部材の両方に対して補強リブが固着された構成としてもよい。この補助金具は、建築物の土台の側面が平面（障害物がない）ときに使用できる。
【手続補正２】
【補正対象書類名】明細書
【補正対象項目名】００１６
【補正方法】変更
【補正の内容】
【００１６】
また、前記締着板が、２つの土台の直交部の形状に沿ったＬ字であり、前記受け部材が、前記Ｌ字の両方の面に直交する補助金具が提供できる。この補助金具は、建築物の土台が交差する部分に使用できる。更に、前記締着板と受け部材の両方に対して補強リブが固着された構成としてもよい。
【手続補正３】
【補正対象書類名】明細書
【補正対象項目名】００２１
【補正方法】変更
【補正の内容】
【００２１】
土台側面に締着板を締め付けて、当該補助金具が土台に定着され、このとき、受け部材は前記土台側面から直角に張り出した状態となっている。この状態で受け部材にジャッキを当てることによって、簡単な作業で傾斜家屋を土台ごと持上げることができる。このとき、基礎に空洞を設ける（はつる）必要がないので基礎を傷めることがなく、建造物の仕上げ構成材も傷めない。更に、重く大きな特殊なジャッキ（爪付ジャッキ）を使用する必要もないので、作業がし易く、コストメリットが大きい。
【手続補正４】
【補正対象書類名】明細書
【補正対象項目名】００３２
【補正方法】変更
【補正の内容】
【００３２】
前記締着板１２は、土台２０の上に立っている柱３０に数センチ程度掛かる長さとするのが望ましい。すなわち、前記固定孔１４が柱３０の部分にも少なくとも１つ（左右では２つ）設けることができる高さとし、上記スクリューボルト２２は柱に対してもねじ込まれるようにする。当該補助金具１００は土台２０に対して、側面から土台２０を捻る方向に圧力を加えることになるので、土台２０に対し偏心する力を与えていることになる。そこで、上記のように締着板１２を柱３０にも締着して、偏心力で土台を過度に捻ることのないようにする。
【手続補正５】
【補正対象書類名】明細書
【補正対象項目名】００３９
【補正方法】変更
【補正の内容】
【００３９】
尚、以上のように土台を水平にしたとき、アンカーボルトの先端位置が土台２０の上面より下に位置することになる場合があり、土台２０をナットで締め付けることができなくなる。この場合に図５（ａ）、（ｂ）に示すＴ字の連結金具２０１を用いて、土台２０を基礎１０に固定する。Ｔ字の連結金具２０１は、Ｔ字の縦軸を基礎１０と土台２０に跨る長さとして下半部を基礎１０にあてて、Ｔ字の水平軸を土台２０に当て、必要な箇所をボルト締めする構造になっている。前記連結金具２０１の縦軸は強度を確保する必要上、幅方向両端に長手方向にリブを設けた構成となっている。尚、前記Ｔ字の連結金具２０１の連結部への当て方は上記に限定されるものではなく、例えば基礎１０部分に充分の高さが足りない場合は、Ｔ字の横軸を基礎１０側にあてるようにしてもよい。また、一般に基礎１０の方が土台２０より幅が広いので、前記連結金具２０１と土台２０との間に隙間ができることがあるが、適当な厚さのパッキン２５等を入れるのが望ましい。
【手続補正６】
【補正対象書類名】明細書
【補正対象項目名】００４３
【補正方法】変更
【補正の内容】
【００４３】
この補助金具１０２は、土台２０部分にしか取り付け余裕のない場合に、図１に示した補助金具に代えて使用される。また、土台部分でのみ荷重を支えることになるので、スクリューボルトを通す固定孔１４だけでなく、土台２０を貫通するボルトを通す、ボルト孔１８を設けた構成としている。
【手続補正７】
【補正対象書類名】明細書
【補正対象項目名】００４４
【補正方法】変更
【補正の内容】
【００４４】
図８は本発明の更に別の補助金具１０３を示すものである。締着板１２、受け板部１３は補助金具１００と同じ構成となっているが、幅方向両端にリブ１７を備えた構成になっている。また取り付け位置として、土台２０の交差位置ではないが、根太１６が交差している場所がある。この場合柱部分に面積上の制限があるので、補助金具１００、あるいは補助金具１０３を、根太１６の位置を外し、左右いずれかの上側の固定孔１４が柱３０と重なるようにして取り付ける。従って、この場合、図１〜３に比して荷重の偏りができるので、その補強として前記リブ１７が設けられている。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
少なくとも水、顔料、有機溶剤、顔料分散樹脂、及び、バインダー樹脂を含有するインクジェットインキであって、
前記顔料の含有量が、インキの全重量に対して２〜７重量％であり、
前記顔料と、前記顔料分散樹脂との含有量の比が、３／１〜１００／１であり、
前記有機溶剤が、少なくとも表面張力が２０〜３０ｍＮ／ｍである有機溶剤、並びに、エチレングリコール、１，２−プロパンジオール、１，３−プロパンジオール、２−メチル−１，３−プロパンジオール、１，２−ブタンジオール、１，３−ブタンジオール、ジエチレングリコールモノメチルエーテル、ジエチレングリコールモノエチルエーテル、及び、γ−ブチロラクトンからなる群から選ばれる少なくとも１種を含み、
前記バインダー樹脂が、水溶性樹脂であり、
前記バインダー樹脂の重量平均分子量（Ｍｗ）が、５０００〜２９０００であり、
前記バインダー樹脂の数平均分子量（Ｍｎ）に対する重量平均分子量（Ｍｗ）の比（Ｍｗ／Ｍｎ）で表される分子量分布が１．０〜２．５であり、
前記バインダー樹脂の含有量が、インキの全重量に対して３〜１５重量％であることを特徴とするインクジェットインキ。
【請求項２】
前記有機溶剤が、沸点が２３０〜４００℃である有機溶剤を、インクジェットインキ全量に対し０〜１５重量％含むことを特徴とする、請求項１記載のインクジェットインキ。
【請求項３】
前記有機溶剤が、沸点が２７０〜４００℃である有機溶剤を、インクジェットインキ全量に対し０〜５重量％含むことを特徴とする、請求項１または２に記載のインクジェットインキ。
【請求項４】
前記バインダー樹脂が、少なくともスチレン（メタ）アクリル系共重合体を含むことを特徴とする、請求項１〜３いずれかに記載のインクジェットインキ。
【請求項５】
前記バインダー樹脂のガラス転移温度（Ｔｇ）が、３０〜１１０℃であることを特徴とする、請求項１〜４いずれかに記載のインクジェットインキ。
【請求項６】
前記バインダー樹脂の酸価が、５〜６０ｍｇＫＯＨ／ｇであることを特徴とする、請求項１〜５いずれかに記載のインクジェットインキ。
【請求項７】
前記バインダー樹脂が、少なくとも炭素数８〜３０のアルキル鎖を有することを特徴とする、請求項１〜６いずれかに記載のインクジェットインキ。
【請求項８】
前記表面張力が２０〜３０ｍＮ／ｍである有機溶剤の含有量が、インクジェットインキ全量に対し０．５〜１０重量％であることを特徴とする、請求項１〜７いずれかに記載のインクジェットインキ。
【手続補正２】
【補正対象書類名】明細書
【補正対象項目名】００１１
【補正方法】変更
【補正の内容】
【００１１】
すなわち本発明は、少なくとも水、顔料、有機溶剤、顔料分散樹脂、及び、バインダー樹脂を含有するインクジェットインキであって、
前記顔料の含有量が、インキの全重量に対して２〜７重量％であり、
前記顔料と、前記顔料分散樹脂との含有量の比が、３／１〜１００／１であり、
前記有機溶剤が、少なくとも表面張力が２０〜３０ｍＮ／ｍである有機溶剤、並びに、エチレングリコール、１，２−プロパンジオール、１，３−プロパンジオール、２−メチル−１，３−プロパンジオール、１，２−ブタンジオール、１，３−ブタンジオール、ジエチレングリコールモノメチルエーテル、ジエチレングリコールモノエチルエーテル、及び、γ−ブチロラクトンからなる群から選ばれる少なくとも１種を含み、
前記バインダー樹脂が、水溶性樹脂であり、
前記バインダー樹脂の重量平均分子量（Ｍｗ）が、５０００〜２９０００であり、
前記バインダー樹脂の数平均分子量（Ｍｎ）に対する重量平均分子量（Ｍｗ）の比（Ｍｗ／Ｍｎ）で表される分子量分布が１．０〜２．５であり、
前記バインダー樹脂の含有量が、インキの全重量に対して３〜１５重量％であることを特徴とするインクジェットインキに関する。
【手続補正３】
【補正対象書類名】明細書
【補正対象項目名】００１６
【補正方法】削除
【補正の内容】
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
マスク箔と、
前記マスク箔上に、成膜対象物上に膜が形成される領域の形状に合わせて設けられた複数の開口部と、を有し、
前記マスク箔は、その一端と、前記一端に対向した他端とを繋ぎ合わせた環状形状を有することを特徴とするシャドーマスク。
【請求項２】
前記膜が形成される領域は、前記成膜対象物上に周期的に配置され、
前記複数の開口部の数は、前記周期の一周期に等しいことを特徴とする請求項１に記載のシャドーマスク。
【請求項３】
前記マスク箔の前記一端から前記他端までの長さは、前記成膜対象物よりも短いことを特徴とする請求項１に記載のシャドーマスク。
【請求項４】
成膜対象物を搬送する搬送装置と、
前記成膜対象物上に膜が形成される領域の形状に応じた開口部を有し、前記搬送装置の搬送速度に応じた速度で回転する環状のシャドーマスクと、
堆積させる成膜材料を前記成膜対象物に向かって射出する成膜源と、
を含むことを特徴とする成膜システム。
【請求項５】
前記成膜源は前記環状のシャドーマスクの内側に配置されることを特徴とする請求項４に記載の成膜システム。
【請求項６】
前記搬送装置の搬送速度と、前記環状のシャドーマスクの回転速度は同じであることを特徴とする請求項４又は５に記載の成膜システム。
【請求項７】
表示パネルを搬送する工程と、
成膜対象物上に膜が形成される領域の形状に応じた開口部を有する環状のシャドーマスクを、前記成膜対象物を搬送する搬送装置の搬送速度に応じた速度で回転させる工程と、
堆積させる成膜材料を前記成膜対象物に向かって射出し、前記成膜対象物上に膜を形成する工程と、
を含むことを特徴とする表示装置の製造方法。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
レアメタル含有ガラスからレアメタルを回収する方法であって、閉鎖系内でレアメタル含有ガラスに含まれている二酸化ケイ素１００質量部あたりの量が３０〜５００質量部であるガラス溶融剤およびレアメタル含有ガラスに含まれている二酸化ケイ素１００質量部あたりの量が３０〜２００質量部である重金属酸化物の存在下でレアメタル含有ガラスを９００〜１１００℃の温度に加熱することによって溶融させ、得られたレアメタル含有ガラスの溶融物に一酸化炭素ガスを接触させながら当該溶融物を６００〜８００℃の温度に冷却し、当該温度を維持することによってレアメタル含有析出物を析出させ、当該レアメタル含有析出物を回収することを特徴とするレアメタル含有ガラスからのレアメタルの回収方法。
【請求項２】
回収されたレアメタル含有析出物を水と接触させ、レアメタル含有析出物に含まれているレアメタルを水中に抽出させる請求項１に記載のレアメタル含有ガラスからのレアメタルの回収方法。
【請求項３】
レアメタル含有ガラスに含まれるレアメタルの原料がレアメタルを含有する廃棄物である請求項１または２に記載のレアメタル含有ガラスからのレアメタルの回収方法。
【手続補正２】
【補正対象書類名】明細書
【補正対象項目名】００１１
【補正方法】変更
【補正の内容】
【００１１】
本発明は、
（１）レアメタル含有ガラスからレアメタルを回収する方法であって、閉鎖系内で、レアメタル含有ガラスに含まれている二酸化ケイ素１００質量部あたりの量が３０〜５００質量部であるガラス溶融剤およびレアメタル含有ガラスに含まれている二酸化ケイ素１００質量部あたりの量が３０〜２００質量部である重金属酸化物の存在下でレアメタル含有ガラスを９００〜１１００℃の温度に加熱することによって溶融させ、得られたレアメタル含有ガラスの溶融物に一酸化炭素ガスを接触させながら当該溶融物を６００〜８００℃の温度に冷却し、当該温度を維持することによってレアメタル含有析出物を析出させ、当該レアメタル含有析出物を回収することを特徴とするレアメタル含有ガラスからのレアメタルの回収方法、
（２）回収されたレアメタル含有析出物を水と接触させ、レアメタル含有析出物に含まれているレアメタルを水中に抽出させる前記（１）に記載のレアメタル含有ガラスからのレアメタルの回収方法、および
（３）レアメタル含有ガラスに含まれるレアメタルの原料がレアメタルを含有する廃棄物である前記（１）または（２）に記載のレアメタル含有ガラスからのレアメタルの回収方法
に関する。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
ラクトフェリンと、下記（ａ）〜（ｅ）からなる群より選ばれる少なくとも１種の成分とを有効成分として含有することを特徴とする免疫賦活剤。
（ａ）没食子酸及びクロロゲン酸から選ばれる少なくとも１種のポリフェノール
（ｂ）甘藷、長命草、ヨモギ、松、葛、及びターミナリアから選ばれる少なくとも１種の植物素材
（ｃ）アスパルテーム、麦芽糖、ショ糖脂肪酸エステル、フラクトオリゴ糖、トレハロース、還元パラチノース、還元麦芽糖、及びシェラックから選ばれる少なくとも１種の機能性添加剤
（ｄ）アラニン、アルギニン、アスパラギン、アスパラギン酸、システイン、グルタミン、グルタミン酸、グリシン、ヒスチジン、イソロイシン、ロイシン、リジン、メチオニン、フェニルアラニン、プロリン、セリン、トレオニン、トリプトファン、チロシン、及びバリンから選ばれる少なくとも１種のアミノ酸
（ｅ）ビタミンＢ１、ビタミンＢ２、ビタミンＢ６、ビタミンＢ１２、ビタミンＣ、ビタミンＤ３、ビタミンＥ、パントテン酸ナトリウム、ナイアシン、葉酸、ビオチン、カルシウム、マンガン、亜鉛、鉄、銅、モリブデン、マグネシウム、及びクロムから選ばれる少なくとも１種のビタミン・ミネラル類
【請求項２】
ラクトフェリンと（ａ）〜（ｅ）からなる群より選ばれる少なくとも１種の成分とからなる有効成分を添加して得たことを特徴とする請求項１記載の免疫賦活剤。
【請求項３】
ラクトフェリン及び他の有効成分の配合質量比が、０．５：１〜７０：１の範囲であることを特徴とする請求項１又は２記載の免疫賦活剤。
【請求項４】
錠剤、カプセル剤、粉末剤、顆粒剤、又は液剤であることを特徴とする請求項１〜３のいずれか記載の免疫賦活剤。
【請求項５】
請求項１〜４のいずれか記載の免疫賦活剤を摂取させることを特徴とする免疫賦活方法（ただし、医療行為を除く）。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
松樹皮抽出物と、長命草、ココヤシ、黒ショウガ及びクロロゲン酸からなる群より選ばれる少なくとも１種の成分とを有効成分として含有することを特徴とする美容組成物。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
ソフトコンタクトレンズが装用されたドライアイ患者の眼に点眼されるように用いられ
ることを特徴とする、ジクアホソルまたはその塩を有効成分として含有し、ベンザルコニ
ウム塩化物を含有しない、ドライアイ治療剤。
【請求項２】
ユニットドーズ型容器に収容されている、請求項１に記載の治療剤。
【請求項３】
マルチドーズ型容器に収容されている、請求項１に記載の治療剤。
【請求項４】
ベンザルコニウム塩化物以外の防腐剤を含有する、請求項３に記載の治療剤。
【請求項５】
ベンザルコニウム塩化物以外の防腐剤がクロルヘキシジン類、ホウ酸類、亜塩素酸類、
パラベン類、ソルビン酸類、クロロブタノールおよび塩化ベンゼトニウムからなる群から
選択される少なくとも一つである、請求項４に記載の治療剤。
【請求項６】
ベンザルコニウム塩化物以外の防腐剤がクロルヘキシジン類である、請求項４または５
に記載の治療剤。
【請求項７】
ジクアホソルまたはその塩の濃度が０．５〜５％（ｗ／ｖ）である、請求項１〜６のい
ずれか一項に記載の治療剤。
【請求項８】
ジクアホソルまたはその塩の濃度が３％（ｗ／ｖ）である、請求項１〜７のいずれか一
項に記載の治療剤。
【請求項９】
ドライアイがコンタクトレンズ装用により引き起こされる、請求項１に記載の治療剤。
【請求項１０】
ソフトコンタクトレンズが装用された眼に点眼されるように用いられることを特徴とす
る、ジクアホソルまたはその塩を有効成分として含有し、ベンザルコニウム塩化物を含有
しない、涙液層の安定性を向上させるための点眼剤。
【請求項１１】
ソフトコンタクトレンズが装用された眼に点眼されるように用いられることを特徴とす
る、ジクアホソルまたはその塩を有効成分として含有し、ベンザルコニウム塩化物を含有
しない、ソフトコンタクトレンズ装用に伴う眼乾燥感または眼不快感を治療するための点
眼剤。
【請求項１２】
ソフトコンタクトレンズが装用されたドライアイ患者の眼に点眼されるように用いられることを特徴とする、ジクアホソルまたはその塩を有効成分として含有し、ベンザルコニウム塩化物を含有しない、ドライアイ治療剤であって、
ジクアホソルまたはその塩の濃度が３％（ｗ／ｖ）であり、
添加物として、緩衝化剤、等張化剤、安定化剤、ベンザルコニウム塩化物以外の防腐剤、ｐＨ調節剤および水のみを含有する、ドライアイ治療剤。
【請求項１３】
緩衝化剤がリン酸ナトリウム、リン酸水素ナトリウム水和物、酢酸ナトリウムおよびイプシロン−アミノカプロン酸からなる群から選択される少なくとも１種である、請求項１２に記載の治療剤。
【請求項１４】
等張化剤が塩化ナトリウム、塩化カリウムおよび濃グリセリンからなる群から選択される少なくとも１種である、請求項１２に記載の治療剤。
【請求項１５】
安定化剤がクエン酸ナトリウム、エデト酸ナトリウムおよびエデト酸ナトリウム水和物からなる群から選択される少なくとも１種である、請求項１２に記載の治療剤。
【請求項１６】
ベンザルコニウム塩化物以外の防腐剤がクロルヘキシジン類、ホウ酸類、亜塩素酸類、パラベン類、ソルビン酸類、クロロブタノールおよび塩化ベンゼトニウムからなる群から選択される少なくとも一つである、請求項１２に記載の治療剤。
【請求項１７】
ｐＨ調節剤が塩酸および水酸化ナトリウムからなる群から選択される少なくとも１種である、請求項１２に記載の治療剤。
【請求項１８】
ソフトコンタクトレンズが装用されたドライアイ患者の眼に点眼されるように用いられることを特徴とする、ジクアホソルまたはその塩を有効成分として含有し、ベンザルコニウム塩化物を含有しない、ドライアイ治療剤であって、
３％（ｗ／ｖ）ジクアホソルナトリウム、リン酸水素ナトリウム水和物、塩化ナトリウム、塩化カリウム、エデト酸ナトリウム水和物、クロルヘキシジングルコン酸塩、ｐＨ調節剤および水のみからなる、ドライアイ治療剤。